(57)【要約】【課題】ユーザが、最後まで視聴できる番組のみを予め知ることが可能となる放送番組受信装置を提供する。【解決手段】出発地を含む放送エリアで出発時刻から該放送エリアを通過する予測通過時刻までの間に放送される番組の番組情報、目的地を含む放送エリアで該放送エリアへの予測到達時刻から目的地への到着時刻までの間に放送される番組の番組情報、及びその他の放送エリアで該放送エリアへ到達する予測到達時刻から該放送エリアを通過する予測通過時刻までの間に放送される番組の番組情報を得、放送時間が出発時刻、目的地に到着する時刻、各放送エリアへの予測到達時刻、および各放送エリアを通過する予測通過時刻を跨らずその放送時間の全部を受信できる番組の番組表を作成する。【選択図】図１
2007005846.tif 000002
【特許請求の範囲】
【請求項１】
少なくとも出発地と目的地と出発時刻の情報を設定する設定手段と、
前記設定手段により設定された情報と地図情報を基に出発地から目的地までの移動経路を設定する経路設定手段と、
前記設定手段により設定された情報、前記経路設定手段により設定された移動経路の情報、および予め定められたエリアの情報を基に、移動経路上にある各エリアへの予測到達時刻と各エリアを通過する予測通過時刻および目的地への予測到着時刻を算出する算出手段と、
出発地を含むエリア内の放送局から該放送局が放送する番組の番組内容と放送時間の情報を受信する番組情報受信手段と、
前記移動経路上にある各エリアで受信可能な放送局の情報、および前記算出手段が算出した情報を情報提供局へ送信し、該情報提供局から、目的地を含むエリアで予測到達時刻から予測到着時刻までの間に放送される各番組の番組内容と放送時間の情報、および目的地を含むエリアと出発地を含むエリア以外のエリアで予測到達時刻から予測通過時刻までの間に放送される各番組の番組内容と放送時間の情報を受信する送受信手段と、
前記番組情報受信手段と前記送受信手段が受信した各番組の番組内容と放送時間の情報を基に、放送時間が出発時刻、予測到着時刻、予測到達時刻、および予測通過時刻を跨らずその放送時間の全部を受信できる各番組の番組内容と放送時間の情報を抽出して番組表を作成する番組表作成手段と、
番組を受信する番組受信手段と、
を備え、前記番組表作成手段により作成された番組表に従って番組を受信できることを特徴とする放送番組受信装置。
【請求項２】
請求項１記載の放送番組受信装置であって、
前記設定手段は、目的地への到着時刻も設定可能とし、
前記算出手段は、前記設定手段により設定された情報、前記経路設定手段により設定された移動経路の情報、および予め定められたエリアの情報を基に、移動経路上にある各エリアへの予測到達時刻と各エリアを通過する予測通過時刻を算出し、
前記送受信手段は、前記設定手段により設定された到着時刻の情報、前記移動経路上にある各エリアで受信可能な放送局の情報、および前記算出手段が算出した情報を情報提供局へ送信し、該情報提供局から、目的地を含むエリアで予測到達時刻から到着時刻までの間に放送される各番組の番組内容と放送時間の情報、および目的地を含むエリアと出発地を含むエリア以外のエリアで予測到達時刻から予測通過時刻までの間に放送される各番組の番組内容と放送時間の情報を受信する、
ことを特徴とする放送番組受信装置。
【請求項３】
請求項１もしくは２のいずれかに記載の放送番組受信装置であって、前記設定手段は、出発地と目的地に加えて任意の地点の情報も設定可能とすることを特徴とする放送番組受信装置。
【請求項４】
請求項３記載の放送番組受信装置であって、前記設定手段は、前記任意の地点へ到着する時刻と前記任意の地点を出発する時刻の情報も設定可能とすることを特徴とする放送番組受信装置。
【請求項５】
請求項１ないし４のいずれかに記載の放送番組受信装置であって、前記設定手段は、移動手段の情報も設定可能とすることを特徴とする放送番組受信装置。
【請求項６】
請求項１ないし５のいずれかに記載の放送番組受信装置であって、前記番組表作成手段は、仮想の放送局を設定し、仮想の放送局の放送時間帯を各番組の放送時間に割り当てて番組表を作成することを特徴とする放送番組受信装置。
【請求項７】
請求項１ないし６のいずれかに記載の放送番組受信装置であって、ＧＰＳ情報を受信するＧＰＳ受信手段を備え、前記ＧＰＳ情報を基に出発地と出発時刻の情報を得ることを特徴とする放送番組受信装置。
【請求項８】
請求項１ないし７のいずれかに記載の放送番組受信装置であって、
前記番組受信手段で受信した番組を蓄積するメモリ手段を備え、
前記番組表作成手段は、その放送時間の全部を受信できず一部しか受信できな番組の番組内容と放送時間の情報の中から、番組内容が同一で合成すると一つの番組にできる各番組の番組内容と放送時間の情報を抽出し、それらの番組を合成した合成番組の放送時間を任意の値に設定して、合成番組の番組内容と放送時間の情報を番組表に登録する機能を有し、
前記メモリ手段に合成番組の一部をなす番組の全部又は一部を蓄積し、前記メモリ手段から読み出して一つの番組にする
ことを特徴とする放送番組受信装置。
【請求項９】
請求項８記載の放送番組受信装置であって、前記番組受信手段は、複数の放送局からの番組をそれぞれ受信できる機能を有することを特徴とする放送番組受信装置。
【請求項１０】
請求項８もしくは９のいずれかに記載の放送番組受信装置であって、
前記番組表作成手段は、合成番組の一部をなす番組の中の放送時間が最後の番組の放送後の時間帯に合成番組の放送時間帯を設定して、または、合成番組の一部をなす番組の中の放送時間が最後の番組の放送直前もしくは放送直後に合成番組の一部をなす他の番組の放送時間帯を設定して、合成番組の番組内容と放送時間の情報を番組表に登録する機能を有し、
前記メモリ手段に合成番組の一部をなす番組の全部又は一部を蓄積し、前記メモリ手段から全ての番組を読み出して一つの番組にする、または、合成番組の一部をなす番組の中の放送時間が最後の番組の放送直前もしくは放送直後に前記メモリ手段から合成番組の一部をなす他の番組を読み出して一つの番組にする
ことを特徴とする放送番組受信装置。
【請求項１１】
請求項８ないし１０のいずれかに記載の放送番組受信装置であって、
複数の合成番組それぞれの番組内容の情報のうちの少なくとも一つを選択できる番組選択手段を備え、
前記番組表作成手段は、番組内容が異なる各合成番組の一部をなす番組の番組内容と放送時間の情報の中から放送時間が重複する番組の番組内容と放送時間の情報を検索し、それらの放送時間が重複する番組からなる各合成番組の番組内容の情報を抽出して選択番組表を作成し、前記番組選択手段により選択された合成番組の番組内容と放送時間の情報を番組表へ登録する機能を有する
ことを特徴とする放送番組受信装置。
【発明の詳細な説明】
【技術分野】
【０００１】
本発明は、或る目的地に向かう場合に、目的地までの移動経路上で受信可能な番組の番組表を予め作成する放送番組受信装置に関する。
【背景技術】
【０００２】
従来、番組表を作成する機能を有した移動体受信装置として、現在の位置情報から、現時点で受信可能な番組の番組表を作成するものが提案されている（例えば、特許文献１参照。）。
【０００３】
また、目的地への移動中において、移動経路上で受信可能なテレビ放送やラジオ放送の番組表を予め作成することで、視聴者が、視聴したい番組を移動中に視聴することが可能か否か、視聴することが可能ならば何時に視聴することが可能かを予め知ることが可能となり、移動の経路や移動速度、休憩時間等の行動予定を立てると同時に、視聴や記録の予約まで行うことが可能となる番組表作成装置が提案されている（例えば、特許文献２参照。）。図１４にこの従来の番組表作成装置の概略構成を示す。
【０００４】
以下、図１４に示す従来の番組表作成装置における番組表作成処理について説明する。
まず、ユーザが、番組表作成装置６００の目的地決定部６０１において、これから行こうとしている目的地やその到着予定時刻を決定する。目的地決定部６０１により目的地と到着予定時刻が決定されると、経路決定部６０２が、現在地から目的地までの経路とその経路上の任意の地点の通過予定時刻を決定する。具体的には、ＧＰＳ（グローバル・ポジショニング・システム）受信部６０９が、ＧＰＳ人工衛星２０４からの電波をＧＰＳ電波受信用アンテナを介して受信して制御部６０３へ送信し、制御部６０３がそのＧＰＳ人工衛星２０４からのデータを基に当該装置の現在位置を求めて経路決定部６０２へ送る。また、制御部６０３は時計を内蔵しており、ＧＰＳ人工衛星２０４からのデータとその時計から得られる現在時刻を経路決定部６０２へ送る。
【０００５】
経路決定部６０２は、目的地決定部６０１からの目的地と到着予定時刻のデータ、制御部６０３からの現在位置と現在時刻のデータ、および地図情報６１０を基に、現在地から目的地までの経路とその経路上の任意の地点の通過予定時刻を決定する。
【０００６】
経路決定部６０２が現在地から目的地までの経路とその経路上の任意の地点の通過予定時刻を決定すると、番組表作成部６０５が、上記した任意の通過点において、その通過予定時刻に視聴可能な番組表を作成し、表示装置２０１に表示する。具体的には、送受信部６０４が、アンテナを介して情報提供局２０２から全国各地、各時刻における視聴可能な番組を網羅したデータを受信して、制御部６０３がそのデータを受信内容メモリ６０８に格納しておき、番組表作成部６０５が、この受信内容メモリ６０８に格納されたデータと経路決定部６０２により決定されたデータを基に番組表データを作成する。
【０００７】
しかしながら、番組の視聴中に該番組の受信が可能な放送エリアから外れると該番組を途中で視聴できなくなる。上記した従来の装置は、現時点で受信可能な番組の番組表を作成したり、任意の地点の通過予定時刻に受信できる番組の番組表を作成するのみであり、放送エリアの境界を通過する時刻を予測することはできず、ユーザは、移動中に視聴している番組が最後まで視聴できるか否かを知ることができなかった。
【特許文献１】特開平１１―２８４９３０号公報
【特許文献２】特開２００３―３０４４５７号公報
【発明の開示】
【発明が解決しようとする課題】
【０００８】
本発明は、上記問題点に鑑み、放送時間が出発時刻、目的地に到着する時刻、各放送エリアへの予測到達時刻、および各放送エリアを通過する予測通過時刻を跨らずその放送時間の全部を受信できる番組の番組表を作成することにより、ユーザが、最後まで視聴できる番組のみを予め知ることが可能となる放送番組受信装置を提供することを目的とする。
【課題を解決するための手段】
【０００９】
本発明の請求項１記載の放送番組受信装置は、少なくとも出発地と目的地と出発時刻の情報を設定する設定手段と、前記設定手段により設定された情報と地図情報を基に出発地から目的地までの移動経路を設定する経路設定手段と、前記設定手段により設定された情報、前記経路設定手段により設定された移動経路の情報、および予め定められたエリアの情報を基に、移動経路上にある各エリアへの予測到達時刻と各エリアを通過する予測通過時刻および目的地への予測到着時刻を算出する算出手段と、出発地を含むエリア内の放送局から該放送局が放送する番組の番組内容と放送時間の情報を受信する番組情報受信手段と、前記移動経路上にある各エリアで受信可能な放送局の情報、および前記算出手段が算出した情報を情報提供局へ送信し、該情報提供局から、目的地を含むエリアで予測到達時刻から予測到着時刻までの間に放送される各番組の番組内容と放送時間の情報、および目的地を含むエリアと出発地を含むエリア以外のエリアで予測到達時刻から予測通過時刻までの間に放送される各番組の番組内容と放送時間の情報を受信する送受信手段と、前記番組情報受信手段と前記送受信手段が受信した各番組の番組内容と放送時間の情報を基に、放送時間が出発時刻、予測到着時刻、予測到達時刻、および予測通過時刻を跨らずその放送時間の全部を受信できる各番組の番組内容と放送時間の情報を抽出して番組表を作成する番組表作成手段と、番組を受信する番組受信手段と、を備え、前記番組表作成手段により作成された番組表に従って番組を受信できることを特徴とする。
【００１０】
また、本発明の請求項２記載の放送番組受信装置は、請求項１記載の放送番組受信装置であって、前記設定手段は、目的地への到着時刻も設定可能とし、前記算出手段は、前記設定手段により設定された情報、前記経路設定手段により設定された移動経路の情報、および予め定められたエリアの情報を基に、移動経路上にある各エリアへの予測到達時刻と各エリアを通過する予測通過時刻を算出し、前記送受信手段は、前記設定手段により設定された到着時刻の情報、前記移動経路上にある各エリアで受信可能な放送局の情報、および前記算出手段が算出した情報を情報提供局へ送信し、該情報提供局から、目的地を含むエリアで予測到達時刻から到着時刻までの間に放送される各番組の番組内容と放送時間の情報、および目的地を含むエリアと出発地を含むエリア以外のエリアで予測到達時刻から予測通過時刻までの間に放送される各番組の番組内容と放送時間の情報を受信する、ことを特徴とする。
【００１１】
また、本発明の請求項３記載の放送番組受信装置は、請求項１もしくは２のいずれかに記載の放送番組受信装置であって、前記設定手段は、出発地と目的地に加えて任意の地点の情報も設定可能とすることを特徴とする。
【００１２】
また、本発明の請求項４記載の放送番組受信装置は、請求項３記載の放送番組受信装置であって、前記設定手段は、前記任意の地点へ到着する時刻と前記任意の地点を出発する時刻の情報も設定可能とすることを特徴とする。
【００１３】
また、本発明の請求項５記載の放送番組受信装置は、請求項１ないし４のいずれかに記載の放送番組受信装置であって、前記設定手段は、移動手段の情報も設定可能とすることを特徴とする。
【００１４】
また、本発明の請求項６記載の放送番組受信装置は、請求項１ないし５のいずれかに記載の放送番組受信装置であって、前記番組表作成手段は、仮想の放送局を設定し、仮想の放送局の放送時間帯を各番組の放送時間に割り当てて番組表を作成することを特徴とする。
【００１５】
また、本発明の請求項７記載の放送番組受信装置は、請求項１ないし６のいずれかに記載の放送番組受信装置であって、ＧＰＳ情報を受信するＧＰＳ受信手段を備え、前記ＧＰＳ情報を基に出発地と出発時刻の情報を得ることを特徴とする。
【００１６】
また、本発明の請求項８記載の放送番組受信装置は、請求項１ないし７のいずれかに記載の放送番組受信装置であって、前記番組受信手段で受信した番組を蓄積するメモリ手段を備え、前記番組表作成手段は、その放送時間の全部を受信できず一部しか受信できな番組の番組内容と放送時間の情報の中から、番組内容が同一で合成すると一つの番組にできる各番組の番組内容と放送時間の情報を抽出し、それらの番組を合成した合成番組の放送時間を任意の値に設定して、合成番組の番組内容と放送時間の情報を番組表に登録する機能を有し、前記メモリ手段に合成番組の一部をなす番組の全部又は一部を蓄積し、前記メモリ手段から読み出して一つの番組にすることを特徴とする。
【００１７】
また、本発明の請求項９記載の放送番組受信装置は、請求項８記載の放送番組受信装置であって、前記番組受信手段は、複数の放送局からの番組をそれぞれ受信できる機能を有することを特徴とする。
【００１８】
また、本発明の請求項１０記載の放送番組受信装置は、請求項８もしくは９のいずれかに記載の放送番組受信装置であって、前記番組表作成手段は、合成番組の一部をなす番組の中の放送時間が最後の番組の放送後の時間帯に合成番組の放送時間帯を設定して、または、合成番組の一部をなす番組の中の放送時間が最後の番組の放送直前もしくは放送直後に合成番組の一部をなす他の番組の放送時間帯を設定して、合成番組の番組内容と放送時間の情報を番組表に登録する機能を有し、前記メモリ手段に合成番組の一部をなす番組の全部又は一部を蓄積し、前記メモリ手段から全ての番組を読み出して一つの番組にする、または、合成番組の一部をなす番組の中の放送時間が最後の番組の放送直前もしくは放送直後に前記メモリ手段から合成番組の一部をなす他の番組を読み出して一つの番組にすることを特徴とする。
【００１９】
また、本発明の請求項１１記載の放送番組受信装置は、請求項８ないし１０のいずれかに記載の放送番組受信装置であって、複数の合成番組それぞれの番組内容の情報のうちの少なくとも一つを選択できる番組選択手段を備え、前記番組表作成手段は、番組内容が異なる各合成番組の一部をなす番組の番組内容と放送時間の情報の中から放送時間が重複する番組の番組内容と放送時間の情報を検索し、それらの放送時間が重複する番組からなる各合成番組の番組内容の情報を抽出して選択番組表を作成し、前記番組選択手段により選択された合成番組の番組内容と放送時間の情報を番組表へ登録する機能を有することを特徴とする。
【発明の効果】
【００２０】
本発明によれば、放送時間が出発時刻、目的地に到着する時刻、各放送エリアへの予測到達時刻、および各放送エリアを通過する予測通過時刻を跨らずその放送時間の全部を受信できる番組の番組表を作成することができるので、ユーザは、最後まで視聴できる番組のみを予め知ることが可能となる。
【００２１】
また、情報提供局から、目的地を含むエリアで予測到達時刻から予測到着時刻までの間に放送される各番組の番組内容と放送時間の情報、および目的地を含むエリアと出発地を含むエリア以外のエリアで予測到達時刻から予測通過時刻までの間に放送される各番組の番組内容と放送時間の情報を受信するので、情報提供局から全国各地、各時刻における視聴可能な番組を網羅したデータを受信する場合に比べて、受信するデータ量を減らすことができる。
【００２２】
また、仮想の放送局を設定し、仮想の放送局の放送時間帯を各番組の放送時間に割り当てて番組表を作成するので、番組表のサイズを小さくすることができる。
また、ＧＰＳ情報を基に出発地と出発時刻の情報を得るので、ユーザは出発地と出発時刻の情報を入力せずに済む。
【００２３】
また、番組内容が同一でその放送時間の全部を受信できない番組同士を合成すると一つの番組にできる場合には、その合成番組の一部をなす番組の全部又は一部をメモリ手段に蓄積して、メモリ手段から読み出して一つの番組にするので、ユーザが視聴できる番組の種類を増やすことができる。
【００２４】
また、複数の放送局からの番組をそれぞれ受信できるので、ユーザは、メモリ手段に番組を蓄積中に他の番組を視聴することができる。
メモリ手段に蓄積する番組の放送時間が重複する場合には、合成番組のいずれかをユーザに選択させるので、ユーザは、所望の番組を視聴することができる。
【発明を実施するための最良の形態】
【００２５】
以下、本発明の実施の形態における放送番組受信装置について図面を交えて説明する。
（実施の形態１）
図１は本実施の形態１における放送番組受信装置の概略構成を示すブロック図である。また図２は、本実施の形態１における放送番組受信装置の移動経路の一例を示す図である。
【００２６】
図１において、放送番組受信装置１００は、目的地設定部１０１、経路設定部１０２、境界データ算出部１０３、制御部１０４、送受信部１０５、番組表作成部１０６、番組受信部１０７、デコード部１０８、受信内容メモリ１０９を備え、番組放送局２０３が放送する番組を受信して表示装置２０１に表示する機能とともに、出発地から目的地までの移動中にその放送時間の全部を受信できる番組の番組情報からなる番組表を作成して表示装置２０１に表示する機能を有する。
【００２７】
設定手段である目的地設定部１０１は、ユーザの入力情報を基に、出発地と目的地、出発時刻と到着時刻、移動手段などの情報を設定する。例えば図２に示すように、電車で９：００に福岡を出発し、１４：４５に大阪に到着する情報を設定する。無論、これ以外にも、途中の停車駅の情報や、各停車駅における到着時刻・出発時刻の情報を設定することもできる。自動車で移動するような場合には、途中の任意の地点の情報や該途中の任意の地点に到着する予定時刻・該途中の任意の地点を出発する予定時刻の情報を設定することもできる。なお、地図情報１１０に時刻表の情報が含まれている場合には、ユーザにより入力された出発地と目的地、出発時刻と到着時刻の情報から各停車駅における到着時刻・出発時刻を自動的に設定するようにしてもよい。
【００２８】
経路設定手段である経路設定部１０２は、目的地設定部１０１により設定された情報と地図情報１１０を基に出発地から目的地までの移動経路を設定する。例えば図２に示すように、福岡から大阪まで電車で移動するような場合にはその路線を設定する。また、経路設定部１０２は、この設定した移動経路の情報を目的地設定部１０１により設定された情報とともに境界データ算出部１０３へ送信する。なお、地図情報１１０は、図示しない記録媒体／記憶媒体に記憶されているものとする。
【００２９】
算出手段である境界データ算出部１０３は、目的地設定部１０１により設定された情報、経路設定部１０２により設定された移動経路の情報、および放送エリア情報１１１に含まれる予め定められた放送エリアの情報を基に、移動経路上にある各放送エリアへの予測到達時刻と各放送エリアを通過する予測通過時刻を算出して放送エリア境界情報を求める。
【００３０】
放送エリア情報１１１には、予め定められた放送エリアの情報とそれぞれの放送エリア内の番組放送局の情報が含まれる。予め定められた放送エリアの情報とは、例えば日本を任意のエリアに区分けした情報であり、例えば九州地域や中国地域などの地域に区分けした情報や、都道府県に区分けした情報、市町村に区分けした情報などである。図２に示す例では、放送エリア情報１１１は、放送エリアＡ、Ｂ、Ｃの情報と各放送エリアＡ、Ｂ、Ｃ内の番組放送局Ａ〜Ｉの情報を含む。この放送エリア情報１１１は、図示しない記録媒体／記憶媒体に記憶されているものとする。
【００３１】
また、放送エリア境界情報は、移動経路上にある各放送エリアへの予測到達時刻と各放送エリアを通過する予測通過時刻の情報、および目的地への到着時刻の情報を含む。図２に示す例では、放送エリア境界情報は、放送エリアＡの境界線と移動経路とが重なる境界地点１を通過する予測通過時刻が１０：４０であり、放送エリアＢの境界線と移動経路とが重なる境界地点２へ到達する予測到達時刻が１０：１０であり、境界地点３を通過する予測通過時刻が１４：１０であり、放送エリアＣの境界線と移動経路とが重なる境界地点４へ到達する予測到達時刻が１２：５０であり、目的地への到着時刻が１４：４５であることを示す情報を含む。なお、目的地設定部１０１で到着時刻を設定せず、境界データ算出部１０３で算出するようにしてもよい。
【００３２】
送受信手段である送受信部１０５は、移動経路上にある各放送エリアで受信可能な番組放送局の情報、および放送エリア境界情報を情報提供局２０２へ送信し、情報提供局２０２から、目的地を含む放送エリアで予測到達時刻から到着時刻までの間に放送される各番組の番組情報（放送時間や番組内容等のデータを含む情報）、および目的地を含む放送エリアと出発地を含む放送エリア以外の放送エリアで予測到達時刻から予測通過時刻までの間に放送される各番組の番組情報を受信する。例えば図２に示すように、放送エリアＢの境界地点２へ到達する予測到達時刻が１０：１０で、境界地点３を通過する予測通過時刻が１４：１０である場合、情報提供局２０２は、放送エリアＢ内の番組放送局Ｄ〜Ｆが１０：１０〜１４：１０に放送する番組の番組情報を送信する。同様に、放送エリアＣの境界地点４へ到達する予測到達時刻が１２：５０で、目的地への到着時刻が１４：４５である場合、情報提供局２０２は、放送エリアＣ内の番組放送局Ｇ〜Ｉが１２：５０〜１４：４５に放送する番組の番組情報を送信する。
【００３３】
番組受信手段である番組受信部１０７は、映像・音声を含んだ番組を番組放送局２０３から受信する。また番組情報受信手段でもある番組受信部１０７は、出発地を含む放送エリア内の番組放送局から該番組放送局が放送する番組の番組情報を受信する。例えば図２に示すように、出発地である福岡を含む放送エリアＡ内の番組放送局Ａ〜Ｃから番組情報を受信する。
【００３４】
メモリ手段である受信内容メモリ１０９は、送受信部１０５と番組受信部１０７が受信した番組情報を蓄積する。番組表作成手段である番組表作成部１０６は、受信内容メモリ１０９に蓄積されている番組情報から、放送時間が出発時刻、到着時刻、予測到達時刻、および予測通過時刻を跨らずその放送時間の全部を受信できる各番組の番組情報を抽出して番組表を作成し、表示装置２０１に表示する。つまり、放送番組受信装置１００が移動中にその放送時間の全部を受信できる番組の番組表を作成して、表示装置２０１に表示する。
【００３５】
デコード部１０８は、番組受信部１０７で受信した番組をデコードして表示装置２０１に表示する。また、制御部１０４は、放送番組受信装置１００全体の制御を司る。当該装置は、番組表作成部１０６により作成された番組表に従って番組を受信できる。
【００３６】
続いて、本実施の形態１における境界データ算出方法について図２を用いて説明する。境界データ算出部１０３は、目的地設定部１０１により設定された情報、経路設定部１０２により設定された移動経路の情報、および放送エリア情報１１１に含まれる予め定められた放送エリアの情報を基に、境界地点１、３を通過する予測通過時刻と境界地点２、４へ到達する予測到達時刻を算出する。
【００３７】
すなわち、出発地（福岡）から目的地（大阪）までの移動距離と移動時間を求めて、移動速度を求める。そして、出発地から各境界地点までの移動距離を求め、移動速度を用いて境界地点１、３を通過する予測通過時刻と境界地点２、４へ到達する予測到達時刻を算出する。移動経路上の任意の地点に到着する予定時刻・該任意の地点を出発する予定時刻の情報が設定されている場合には、任意の地点間の移動距離や、移動時間、移動速度を求めて、予測到達時刻と予測通過時刻を算出するようにしてもよい。例えば図２に示すように、途中の停車駅に広島がある場合には、まず、福岡から広島までの移動距離と移動時間を求めて、福岡から広島までの間の移動速度を求める。そして、福岡から境界地点１ないし２までの移動距離を求め、移動速度を用いて境界地点１を通過する予測通過時刻と境界地点２へ到達する予測到達時刻を算出する。
【００３８】
続いて、本実施の形態１における番組表作成方法について図３、４を用いて説明する。図３（ａ）は各放送エリアの番組表の一例を示す図である。
図３（ａ）に示すように、放送エリアＡの番組表３０１には、番組放送局Ａ〜Ｃが９：００（出発時刻）〜１０：４０（境界地点１の予測通過時刻）に放送する番組の番組情報が登録されている。放送エリアＢの番組表３０２には、番組放送局Ｄ〜Ｆが１０：１０（境界地点２への予測到達時刻）〜１４：１０（境界地点３の予測通過時刻）に放送する番組の番組情報が登録されている。放送エリアＣの番組表３０３には、番組放送局Ｇ〜Ｉが１２：５０（境界地点４への予測到達時刻）〜１４：４５（到着時刻）に放送する番組の番組情報が登録されている。
【００３９】
また、番組表３０１には、放送時間が９：００（出発時刻）もしくは１０：４０（境界地点１の予測通過時刻）を跨ぐ番組の番組情報が存在し、番組表３０２には、放送時間が１０：１０（境界地点２への予測到達時刻）もしくは１４：１０（境界地点３の予測通過時刻）を跨ぐ番組の番組情報が存在し、番組表３０３には、放送時間が１２：５０（境界地点４への予測到達時刻）もしくは１４：４５（到着時刻）を跨ぐ番組の番組情報が存在する。
【００４０】
図３（ｂ）は、図３（ａ）に示す各番組表から放送時間が出発時刻、到着時刻、予測到達時刻、予測通過時刻を跨がない番組（その放送時間の全部を受信できる番組）を抽出して作成した番組リストを示す図である。番組表作成部１０６は、受信内容メモリ１０９に蓄積されている番組情報を検索し、その放送時間の全部を受信できる番組情報を抽出して番組リストに登録し、図３（ｂ）に示す番組リスト３１０を作成する。
【００４１】
図４は当該装置が作成する番組表の一例を示す図である。番組表作成部１０６は、仮想の番組放送局α〜δの放送時間帯を図３（ｂ）に示す番組リストに登録された各番組の放送時間に割り当てて、図４に示す番組表３２０を作成する。
【００４２】
続いて、番組表作成部１０６の処理動作について、図５に示すフローを用いて説明する。番組表作成部１０６は、図５に示すように番組抽出処理Ｓ１１００と番組表再構成処理Ｓ１１０１を実行する。
【００４３】
番組表作成部１０６は、まず番組抽出処理Ｓ１１００のステップＳ１０１において、受信内容メモリ１０９に蓄積されている番組情報を検索し、未だ検索していない放送エリアが存在するか否かを判定する。
【００４４】
検索していない放送エリアが存在する場合、ステップＳ１０２において、ステップＳ１０１で検索された番組情報が、その放送時間の全部を受信できる番組の番組情報か否かを判定する。つまり、放送時間が出発時刻、到着時刻、予測到達時刻、予測通過時刻を跨ぐか否かを判定する。
【００４５】
その放送時間の全部を受信できる番組の番組情報である場合、ステップＳ１０３において番組リスト３１０へ登録した後、ステップＳ１０４において、その番組情報が番組表の終端に表示される番組情報であるか否かを判定する。例えば、放送エリアＡの番組表の終端に表示される番組情報は、図３（ａ）に示すように、番組表３０１の番組放送局Ｃの欄の終端に表示される番組情報である。
【００４６】
放送時間の一部しか受信できない不完全な番組（放送時間が出発時刻もしくは予測到達時刻もしくは予測通過時刻もしくは到着時刻を跨ぐ番組）の番組情報である場合には、番組リスト３１０へ登録せずにステップＳ１０４へ移り、その番組情報が番組表の終端に表示される番組情報であるか否かを判定する。
【００４７】
番組表の終端に表示される番組情報ではない場合、ステップＳ１０５においてその番組情報を受信内容メモリ１０９から削除してステップＳ１０２へ戻り、次の番組情報を検索する。この検索は、現在検索の対象となっている放送エリア内の番組放送局順に行う。例えば放送エリアＡの番組情報を検索する場合、番組放送局Ａ、Ｂ、Ｃ順に行う。つまり、番組放送局Ａの欄の番組情報を放送時間順に検索し、次に番組放送局Ｂの欄の番組情報を放送時間順に検索し、最後に番組放送局Ｃの欄の番組情報を放送時間順に検索する。
【００４８】
番組表の終端に表示される番組情報である場合、ステップＳ１０６においてその番組情報を受信内容メモリ１０９から削除してステップＳ１０１へ戻り、受信内容メモリ１０９に未だ検索していない放送エリアが存在するか否かを判定する。全放送エリアの検索が終了している場合、つまり情報提供局２０２や番組放送局２０３から取得した番組情報が全て削除された場合、番組表再構成処理Ｓ１１０１へ移る。
【００４９】
以上のステップＳ１０１〜Ｓ１０６の処理を繰り返すことで、放送時間が出発時刻、予測到達時刻、予測通過時刻、および到着時刻に跨らずその放送時間の全部を受信できる番組の番組情報のみを登録した番組リスト３１０が作成される（図３（ｂ）参照。）。
【００５０】
番組表再構成処理Ｓ１１０１では、まず、ステップＳ１０７において、番組リスト３１０を検索し、番組リスト３１０に番組情報が存在するか否かを判定する。番組情報が存在する場合、ステップＳ１０８において、ステップＳ１０７で検索された番組情報に対して第１の仮想番組放送局αを設定する。次に、ステップＳ１０９において、その番組を登録するのに十分な空き時間が仮想番組放送局αに存在するか否かを判定する。つまり、その番組の放送時間帯が空き時間となっているか否かを判定する。
【００５１】
空き時間が存在する場合には、ステップＳ１１１において、番組表の仮想番組放送局αの欄の該当時間帯をその番組の放送時間帯に割り当てて、ステップＳ１０７で検索した番組情報を登録する。空き時間が存在しない場合には、ステップＳ１１０において第２の仮想番組放送局βを設定し、ステップＳ１０９へ戻って空き時間が存在するか否かを判定する。
【００５２】
このステップＳ１０９とステップＳ１１０の処理は、空き時間が存在するまで、第２の仮想番組放送局β、第３の仮想番組放送局γ、第４の仮想番組放送局δ、・・・を設定して繰り返し実行する。
【００５３】
そして、ステップＳ１１１において、空き時間が存在する仮想番組放送局の欄へ番組情報を登録する。番組表への番組情報の登録が完了すると、ステップＳ１１２において、当該番組情報を番組リスト３１０から削除し、ステップＳ１０７へ戻る。
【００５４】
以上のステップＳ１０７〜Ｓ１１２の処理を繰り返し実行して番組リスト上の番組情報を番組表へ登録していき、番組リスト上に番組情報がなくなると処理を終了する。その結果、図４に示す番組表３２０が作成される。
【００５５】
（実施の形態２）
図６は本実施の形態２における放送番組受信装置の概略構成を示すブロック図である。但し、前述した実施の形態１で説明した部材に対応する部材には同一の符号を付して、詳説を省略する。
【００５６】
実施の形態１と異なる点は、放送番組受信装置１００がＧＰＳ受信手段であるＧＰＳ受信部１１２を備える点にある。つまり、ＧＰＳ受信部１１２がＧＰＳ人工衛星２０４からのＧＰＳ情報を受信し、制御部１０４がその情報を基に現在位置と現在時刻を自動で求めてそのデータを目的地設定部１０１へ送り、目的地設定部１０１がそのデータを基に出発地（現在位置）と出発時刻（現在時刻）の情報を自動で設定する点が異なる。これにより、ユーザは出発地と出発時刻を入力せずに済む。
【００５７】
（実施の形態３）
図７は本実施の形態３における放送番組受信装置の概略構成を示すブロック図である。但し、前述した実施の形態１で説明した部材に対応する部材には同一の符号を付して、詳説を省略する。
【００５８】
図７において、放送番組受信装置１００が備える番組受信部１０７は、複数の番組放送局からの番組をそれぞれ受信できる機能を有する。ここでは２つの番組放送局からの番組をそれぞれ受信できる場合を例に説明する。また、入出力切替部１１３は、番組受信部１０７と受信内容メモリ１０９とデコード部１０８の間の映像・音声を含む番組のデータの流れを制御する。
【００５９】
例えば、入出力切替部１１３は、番組放送局Ａからの番組をリアルタイムで表示装置２０１に表示すると同時に、番組放送局Ｂからの番組を受信内容メモリ１０９に蓄積するときには、番組受信部１０７で受信している番組放送局Ａからの番組をデコード部１０８へ送ると同時に、番組受信部１０７で受信している番組放送局Ｂからの番組を制御部１０４を介して受信内容メモリ１０９へ送る。また、受信内容メモリ１０９に蓄積された番組を表示装置２０１に表示するときには、受信内容メモリ１０９から読み出された番組をデコード部１０８へ送る。
【００６０】
続いて、本実施の形態３における番組表作成方法について図８を用いて説明する。図８に示すように、放送エリアＡの番組表３０１には、放送時間が１０：４０（境界地点１を通過する予測通過時刻）を跨ぐ番組ａの番組情報４０１が存在する。一方、放送エリアＣの番組表３０３には、この番組ａと番組内容が同一の番組であって、かつ放送時間が１２：５０（境界地点４を通過する予測通過時刻）を跨ぐ番組ｂの番組情報４０２が存在する。
【００６１】
本実施の形態３における番組表作成部１０６は、その放送時間の全部を受信できず一部しか受信できない不完全な番組の番組情報を不完全番組リストへ登録し、それらの番組情報の中で番組内容が同一の番組情報を検索し、放送時間の情報を基に、合成することで完全な一つの番組にできるか否かを判定する。例えば図８に示す例では、番組ａと番組ｂを合成して完全な一つの番組にできるか否かを判定する。その結果、完全な一つの番組にできる場合には、それらを合成した合成番組ｃの放送時間を任意の値に設定して、その合成番組ｃの番組情報４０３を番組リストへ登録し、前述した実施の形態１と同様に番組表５０１へ登録する。
【００６２】
合成番組の放送時間は、合成番組の一部をなす番組の中の放送時間が最後の番組の放送終了後の時間帯に設定する。例えば図８に示す例では、番組ｂの放送が終了した後の時間帯に合成番組ｃの放送時間を割り当てた番組表５０１を作成する。または、合成番組の一部をなす番組の中の放送時間が最後の番組の放送直前もしくは放送直後に合成番組の一部をなす他の番組の放送時間を設定する。例えば図９に示す例では、番組ｂの受信が可能となる直前の時間帯に番組ａの放送時間を設定する。
【００６３】
本実施の形態３における制御部１０４は、合成番組の一部をなす番組の全部又は一部が受信内容メモリ１０９に蓄積されるように、番組受信部１０７と入出力切替部１１３を制御する。
【００６４】
例えば図８に示す例では、番組ａと番組ｂが受信内容メモリ１０９に蓄積されるようにする。この場合、当該合成番組ｃを表示装置２０１に表示するときには、番組表５０１に割り当てられた放送時間に受信内容メモリ１０９から当該合成番組ｃの一部をなす番組ａと番組ｂを読み出し、入出力切替部１１３を介してデコード部１０８へ送り、一つの番組にする。
【００６５】
また例えば図９に示す例では、番組ａの番組のみが受信内容メモリ１０９に蓄積されるようにする。この場合、当該合成番組ｃを表示装置２０１に表示するときには、番組表５０１に割り当てられた番組ａの放送時間に受信内容メモリ１０９から番組ａを読み出し、入出力切替部１１３を介してデコード部１０８へ送る。そして、番組ｂの受信が可能な時刻になると、番組受信部１０７で番組ｂを受信して、デコード部１０８へ送り、一つの番組にする。
【００６６】
続いて、番組表作成部１０６の処理動作について、図１０に示すフローを用いて説明する。但し、前述した図５に基づいて説明した処理に対応する処理には同一のステップ番号を付して、詳説を省略する。
【００６７】
番組表作成部１０６は、まず番組抽出処理Ｓ１２００のステップＳ１０１において、受信内容メモリ１０９に蓄積されている番組情報を検索し、未だ検索していない放送エリアが存在するか否かを判定する。
【００６８】
検索していない放送エリアが存在する場合、ステップＳ１０２において、ステップＳ１０１で検索された番組情報が、その放送時間の全部を受信できる番組の番組情報か否かを判定する。つまり、放送時間が出発時刻、到着時刻、予測到達時刻、予測通過時刻を跨ぐか否かを判定する。
【００６９】
その放送時間の全部を受信できる番組の番組情報である場合、ステップＳ１０３において番組リストへ登録した後、ステップＳ１０４において、その番組情報が番組表の終端に表示される番組情報であるか否かを判定する。
【００７０】
一方、放送時間の一部しか受信できない不完全な番組の場合には、ステップＳ２０１において不完全番組リストへ登録した後、ステップＳ１０４において、その番組情報が番組表の終端に表示される番組情報であるか否かを判定する。
【００７１】
番組表の終端に表示される番組情報ではない場合、ステップＳ１０５においてその番組情報を受信内容メモリ１０９から削除してステップＳ１０２へ戻り、次の番組情報を検索する。
【００７２】
番組表の終端に表示される番組情報である場合、ステップＳ１０６においてその番組情報を受信内容メモリ１０９から削除してステップＳ１０１へ戻り、受信内容メモリ１０９に未だ検索していない放送エリアが存在するか否かを判定する。全放送エリアの検索が終了している場合、つまり情報提供局２０２や番組放送局２０３から取得した番組情報が全て削除された場合、ステップＳ２０２へ移る。
【００７３】
以上のステップＳ１０１〜Ｓ１０６およびステップＳ２０１の処理を繰り返すことで、放送時間が出発時刻、予測到達時刻、予測通過時刻、および到着時刻に跨らずその放送時間の全部が受信できる番組の番組情報のみを登録した番組リストが作成されるとともに、放送時間が上記の各時刻の何れかに跨りその放送時間の一部しか受信できない番組の番組情報のみを登録した不完全番組リストが作成される。
【００７４】
ステップＳ２０２において、番組表作成部１０６は、不完全番組リストを検索し、不完全番組リストに番組情報が存在するか否かを判定する。番組情報が存在する場合、ステップＳ２０３において、ステップＳ２０２で検索した番組情報と番組内容が同一の番組情報を不完全番組リストから検索する。
【００７５】
番組内容が同一の番組情報がない場合、ステップＳ２０６において、当該番組情報を不完全番組リストから削除して、ステップＳ２０２へ戻る。番組内容が同一の番組情報が存在する場合には、ステップＳ２０４において、それらの番組の放送時間を基に、合成して完全な一つの番組にできるか否かを判定する。完全な一つの番組とならない場合には、ステップＳ２０６において、それらの番組の番組情報を不完全番組リストから削除して、ステップＳ２０２へ戻る。
【００７６】
完全な一つの番組となる場合、ステップＳ２０５において、合成番組の放送時間を任意の時間帯に設定して該合成番組の番組情報を番組リストへ登録するとともに、受信内容メモリ１０９へ蓄積する番組についての予約を設定する。その後、ステップＳ２０６において、それらの番組の番組情報を不完全番組リストから削除して、ステップＳ２０２へ戻る。
【００７７】
以上のステップＳ２０２〜Ｓ２０６を、不完全番組リストから番組情報がなくなるまで繰り返し実行する。不完全番組リスト上に番組情報が存在しなくなると、前述した実施の形態１で説明した番組表再構成処理Ｓ１１０１へ移行し、処理を終了する。なお、番組表に登録した合成番組の番組情報と受信内容メモリ１０９に蓄積する番組は関連付けておく。
【００７８】
（実施の形態４）
図１１は本実施の形態４における放送番組受信装置の概略構成を示すブロック図である。但し、前述した実施の形態１、３で説明した部材に対応する部材には同一の符号を付して、詳説を省略する。
【００７９】
図１１において、番組選択手段である番組選択部１１４は、ユーザにより選択された合成番組の番組内容の情報を番組表作成部１０６へ伝える。一方、番組表作成部１０６は、番組内容が異なる複数の合成番組の一部をなす番組の番組情報の中から放送時間が重複する番組情報を検索し、それらの放送時間が重複する番組からなる各合成番組の番組内容の情報を抽出して選択番組表を作成し、表示装置２０１に表示してユーザに視聴する番組の選択を促す。選択番組表の一例を図１２に示す。選択番組表には、各合成番組の番組内容が表示される。そして、番組選択部１１４がユーザにより選択された合成番組の番組内容を伝えると、その合成番組の番組情報を番組表へ登録する。
【００８０】
続いて、番組表作成部１０６の処理動作について、図１３に示すフローを用いて説明する。但し、前述した図５、１０に基づいて説明した処理に対応する処理には同一のステップ番号を付して、詳説を省略する。
【００８１】
番組表作成部１０６は、まず番組抽出処理Ｓ１２００を実行し、番組リストと不完全番組リストを作成する。次に、ステップＳ２０２において、不完全番組リストを検索し、不完全番組リストに番組情報が存在するか否かを判定する。番組情報が存在する場合、ステップＳ２０３において、ステップＳ２０２で検索した番組情報と番組内容が同一の番組情報を不完全番組リストから検索する。
【００８２】
番組内容が同一の番組情報がない場合、ステップＳ２０６において、当該番組情報を不完全番組リストから削除して、ステップＳ２０２へ戻る。番組内容が同一の番組情報が存在する場合には、ステップＳ２０４において、それらの番組の放送時間を基に、合成して完全な一つの番組にできるか否かを判定する。完全な一つの番組とならない場合には、ステップＳ２０６において、それらの番組の番組情報を不完全番組リストから削除して、ステップＳ２０２へ戻る。
【００８３】
完全な一つの番組となる場合、ステップＳ３０１において、合成番組の放送時間を任意の値を設定して該合成番組の番組情報を番組リストへ登録するとともに、該合成番組の一部をなす番組の中の受信内容メモリ１０９へ蓄積する番組の番組情報（但し、放送時間は合成番組を完全な番組にするのに必要な分のデータが放送される時間帯に設定する。）を予約リストへ登録する。その後、ステップＳ２０６において、該合成番組の一部をなす番組の番組情報を不完全番組リストから削除して、ステップＳ２０２へ戻る。
【００８４】
以上のステップＳ２０２〜Ｓ２０６およびステップＳ３０１を、不完全番組リストから番組情報がなくなるまで繰り返し実行する。不完全番組リスト上に番組情報が存在しなくなると、ステップＳ３０２へ移行する。
【００８５】
番組表作成部１０６は、ステップＳ３０２において、予約リストから番組情報を検索し、予約時間（放送時間）が重複する番組情報があるか否かを判定する。重複する番組情報がある場合、ステップＳ３０３において、それらの番組内容を抽出して選択番組表を作成して表示する。
【００８６】
ユーザにより合成番組の番組内容が選択されると、ステップＳ３０４において、選択されなかった合成番組の番組情報を番組リストから削除するとともに、その合成番組の一部をなす番組の番組情報を予約リストから削除した後、ステップＳ３０２へ移行して、予約リストから次の番組情報を検索して、予約時間が重複する番組情報があるか否かを判定する。
【００８７】
以上のステップＳ３０２〜Ｓ３０４を、予約リスト上から予約時間が重複する番組情報がなくなるまで繰り返した後、番組表再構成処理Ｓ１１０１を実行する。その結果、ユーザにより選択された合成番組の番組情報が登録された番組表が作成される。
【００８８】
以上のように本実施の形態によれば、放送時間が出発時刻、目的地に到着する時刻、各放送エリアへの予測到達時刻、および各放送エリアを通過する予測通過時刻を跨らずその放送時間の全部を受信できる番組の番組表を作成することができるので、ユーザは、最後まで視聴できる番組のみを予め知ることが可能となる。
【００８９】
また、実施の形態３、４によれば、放送時間が上記の各時刻を跨る番組であっても合成することで完全な一つの番組となる場合には、それらの番組を蓄積して一つの番組にすることができ、例えばＨＤＤ（ハード・ディスク・ドライブ）を備えた移動体受信装置等の用途に有用である。
【００９０】
なお、ここでは、番組受信部が２つの番組放送局からの番組をそれぞれ受信できる場合について説明したが、３つ以上の番組放送局からの番組をそれぞれ受信できる場合も同様である。また、２つの番組から合成番組を作成する場合について説明したが、３つ以上の番組から合成番組を作成する場合も同様である。また、番組はＴＶ放送の番組に限らず、ラジオ放送等の番組を受信する装置であっても同様に実施できる。
【産業上の利用可能性】
【００９１】
本発明にかかる放送番組受信装置は、目的地への移動中に該目的地までの移動経路上で最後まで視聴できる番組の番組表を作成することができ、例えばＨＤＤを備えた移動体受信装置等の用途に適用できる。
【図面の簡単な説明】
【００９２】
【図１】本発明の実施の形態１における放送番組受信装置の概略構成を示すブロック図
【図２】本発明の実施の形態１における放送番組受信装置の移動経路の一例を示す図
【図３】（ａ）は本発明の実施の形態１における放送番組受信装置の移動経路上にある各放送エリアの番組表の一例を示す図、（ｂ）は図３（ａ）に示す各番組表から放送時間が出発時刻、到着時刻、予測到達時刻、予測通過時刻を跨がない番組を抽出して作成した番組リストを示す図
【図４】本発明の実施の形態１における放送番組受信装置が作成する番組表の一例を示す図
【図５】本発明の実施の形態１における放送番組受信装置の番組表作成部の処理フローを示す図
【図６】本発明の実施の形態２における放送番組受信装置の概略構成を示すブロック図
【図７】本発明の実施の形態３における放送番組受信装置の概略構成を示すブロック図
【図８】本発明の実施の形態３における放送番組受信装置による番組表構成例を示す図
【図９】本発明の実施の形態３における放送番組受信装置による番組表構成の他の例を示す図
【図１０】本発明の実施の形態３における放送番組受信装置の番組表作成部の処理フローを示す図
【図１１】本発明の実施の形態４における放送番組受信装置の概略構成を示すブロック図
【図１２】本発明の実施の形態４における選択番組表の一例を示す図
【図１３】本発明の実施の形態４における放送番組受信装置の番組表作成部の処理フローを示す図
【図１４】従来の番組表作成装置の概略構成を示すブロック図
【符号の説明】
【００９３】
１０１      目的地設定部
１０３      経路設定部
１０４      制御部
１０５      送受信部
１０６      番組表作成部
１０７      番組受信部
１０８      デコード部
１０９      受信内容メモリ
１１０      地図情報
１１１      放送エリア情報
１１２      ＧＰＳ受信部
１１３      入出力切替部
１１４      番組選択部
２０１      表示装置
２０２      情報提供局
２０３      番組放送局
２０４      ＧＰＳ人工衛星
３０１      放送エリアＡの番組表
３０２      放送エリアＢの番組表
３０３      放送エリアＣの番組表
３１０      番組リスト
３２０、５０１      新たに作成された番組表
４０１      番組ａの番組情報
４０２      番組ｂの番組情報
４０３      合成番組ｃの番組情報
６００      番組表作成装置
６０１      目的地決定部
６０２      経路決定部
６０３      制御部
６０４      送受信部
６０５      番組表作成部
６０６      番組受信部
６０７      デコード部
６０８      受信内容メモリ
６０９      ＧＰＳ受信部
６１０      地図情報
【図１】
2007005846.tif 000003
【図２】
2007005846.tif 000004
【図３】
2007005846.tif 000005
【図４】
2007005846.tif 000006
【図５】
2007005846.tif 000007
【図６】
2007005846.tif 000008
【図７】
2007005846.tif 000009
【図８】
2007005846.tif 000010
【図９】
2007005846.tif 000011
【図１０】
2007005846.tif 000012
【図１１】
2007005846.tif 000013
【図１２】
2007005846.tif 000014
【図１３】
2007005846.tif 000015
【図１４】
2007005846.tif 000016